(57)【特許請求の範囲】
【請求項１】
一側面に電源線用孔が設けられる筐体と、
前記筐体における前記電源線用孔の近傍部位に設けられる通信線用孔と、
前記筐体内部に配置される電気部品箱と、
前記電気部品箱の側面に設けられ、筐体外部から前記電源線用孔を介し電源線が挿通される第１の切欠部と、
前記第１の切欠部の下部側の前記電気部品箱側面に設けられ、筐体外部から前記通信線用孔を介して通信線が挿通される第２の切欠部と、
前記筐体の内部において、前記電気部品箱の側面と、前記電源線用孔および前記通信線用孔が設けられる前記筐体一側面との間に介設され、前記電源線および通信線をカバーする金属製の電線カバー部材と、
前記電線カバー部材内部を、前記電源線用孔と前記第１の切欠部に亘って形成され、前記電源線を収容する上部室と、前記通信線用孔と前記第２の切欠部に亘って形成され、前記通信線を収容する下部室とに仕切る仕切り板と、を具備し、
前記電源線用孔および前記通信線用孔には、筐体外部から電源線用コンジット管および通信線用コンジット管の端部が固定され、前記電源線用コンジット管および前記通信線用コンジット管の管内に前記電源線および通信線が挿通される
ことを特徴とする熱源ユニット。
【発明の詳細な説明】
【技術分野】
【０００１】
本発明の実施態様は、たとえばマルチ式空気調和装置、チリングユニット、ヒートポンプ給湯機等を総称する熱源ユニットに関する。
【背景技術】
【０００２】
熱源ユニットにおいて、たとえばマルチ式空気調和装置の室外ユニットは、筐体内部に電気部品箱が備えられる。この電気部品箱内には、圧縮機や送風機等の電動部品を駆動制御する電気部品と、各種センサー類や表示器等の信号を受け制御信号として送受信する電子部品が収容される。
【０００３】
［特許文献１］には、ユニット本体（筐体）の側面パネルの下部に配線用窓が設けられ、ユニット本体内部で配線用窓の近傍部位に電気部品箱を備えた構成が開示される。前記電気部品箱には切欠部が設けられていて、ユニット本体の外部から配線用窓に電気配線が挿通され、さらにこの電気配線は前記切欠部を介して電気部品箱内部へ延出される。
【先行技術文献】
【特許文献】
【０００４】
【特許文献１】特許第４３７３１６７号公報
【発明の概要】
【発明が解決しようとする課題】
【０００５】
前記電気配線は、電源線と通信線からなっていて、電源線は前記電気部品に端子板を介して接続され、通信線は前記電子部品に別の端子板を介して接続される。なお説明すると、ユニット本体外部から配線用窓を介してユニット本体内部へ挿通される電源線と通信線は、別々にして一旦、ユニット本体底板上に置かれ、配線される。
【０００６】
その状態で電気部品箱近傍まで延出され、ここから電気部品箱側面に沿って立ち上がり、切欠部を介して内部に挿入される。切欠部は、電源線用と通信線用とに別々に設けられるが、配線用窓から切欠部に至る間に電源線と通信線が接触することがある。そのため、電源線から発生するノイズが通信線に影響し、機器の誤作動を引き起こす虞れがある。
【０００７】
本実施形態が解決しようとする課題は、筐体から電気部品箱に至るまで間において、電源線と通信線との接触を確実に避け、電源線から発生するノイズが通信線に影響を与えないようにして、機器の誤動作を防止できる熱源ユニットを提供することにある。
【課題を解決するための手段】
【０００８】
本実施形態では、筐体の一側面に電源線用孔を設ける。この筐体における電源線用孔の近傍部位に通信線用孔を設ける。筐体内部に配置される電気部品箱の側面に筐体外部から電源線用孔を介して電源線が挿通される第１の切欠部を設ける。第１の切欠部の下部側の電気部品箱側面に筐体外部から通信線用孔を介して通信線が挿通される第２の切欠部を設ける。筐体の内部において、電気部品箱の側面と電源線用孔および通信線用孔を設けた筐体一側面との間に金属製の電線カバー部材を介設し、電源線および通信線をカバーする。電線カバー部材内部を、電源線用孔と第１の切欠部に亘って形成され電源線を収容する上部室と、通信線用孔と第２の切欠部に亘って形成され通信線を収容する下部室とに仕切る仕切り板を設ける。電源線用孔および通信線用孔には、筐体外部から電源線用コンジット管および通信線用コンジット管の端部を固定する。電源線用コンジット管および通信線用コンジット管の管内に電源線および通信線を挿通する。
【図面の簡単な説明】
【０００９】
【図１】本実施形態に係る、熱源ユニットである空気調和装置を構成する室外ユニットの外観斜視図。
【図２】同実施形態に係る、室外ユニットの筐体を省略した状態の斜視図。
【図３】同実施形態に係る、室外ユニットの側面パネルを取外した要部の斜視図。
【図４】同実施形態に係る、室外ユニットの側面パネルを取外した要部の側面図。
【図５】同実施形態に係る、電線カバー部材の正面図。
【図６】同実施形態に係る、電線カバー部材と配管接続部材との配置構成を示す平面図。
【発明を実施するための形態】
【００１０】
以下、本実施形態を図面にもとづいて説明する。  
図１は組立てられた熱源ユニットである空気調和装置を構成する室外ユニットＳの外観斜視図であり、図２は室外ユニットＳの筐体１を構成する側面パネルを取外して内部を示す斜視図である。
【００１１】
熱源ユニットとして、チリングユニット、ヒートポンプ給湯装置、空気調和装置の室外ユニットがあるが、ここでは空気調和装置の室外ユニットに適用して説明する。  
空気調和装置は、１台の室外ユニットＳと、この室外ユニットＳと冷媒管および電気配線を介して接続される図示しない複数台の室内ユニットとから構成される。室外ユニットＳは、筐体１内の上部側に熱交換室２が形成される一方で、下部側に機械室３が形成される。これら熱交換室２と機械室３とは、水平区分板４で仕切られている。
【００１２】
前記熱交換室２と機械室３の外周面は、複数枚の側面パネル５により囲まれていて、熱交換室２の上面は有蓋扁平角筒状の天板６によって閉じられる。機械室３の底部には比較的厚肉の矩形平板鋼板等よりなる底板７が備えられ、この底板７の各隅角部上にＬ形鋼等の複数本の支柱８が立設される。
【００１３】
左右両側に対向する支柱８の下端部に亘ってＬ字状の据付脚９ａ，９ｂが一体または一体的に設けられ、さらに支柱８の中間部に亘って前記水平区分板４が取付け固定される。したがって、支柱８、側面パネル５、天板６、底板７等で筐体１が構成され、この筐体１内部を水平区分板４が上下二室に区画することになる。
【００１４】
前記水平区分板４上の熱交換室２に室外熱交換器１２が載置され、冷凍サイクル運転にともなって室外熱交換器１２に生成されるドレン水を水平区分板４が受ける。すなわち、水平区分板４はドレン皿を兼用していて、ここで受けたドレン水は図示しないドレンホースを介して筐体１外へ排水される。
【００１５】
前記室外熱交換器１２は、平面視で略鈍角Ｌ字状に形成される一対の熱交換器からなる。各熱交換器１２は、所定のピッチで配設される多数の熱交換フィン１２ａと、これらのフィンを貫通する図示しない直状熱交換管と、これら直状熱交換管の外端部を順次連結し蛇行状冷媒流路を形成する複数のＵベンド１２ｂとからなる。
【００１６】
前記熱交換器１２が平面視で略鈍角Ｌ字状に折曲されることにより、熱交換器１２の外側を囲むように各側面パネル５が配置される。各側面パネル５には各熱交換器１２の各辺部に対向して複数の孔部からなる吸込口１３が設けられる。これら吸込口１３により、熱交換室２の内外は連通される。
【００１７】
前記天板６のほぼ中央部に、たとえば円形の空気吹出し口１５が設けられ、この空気吹出し口１５に円筒状のベルマウス１６が同心状に一体または一体的に突設される。このベルマウス１６内には、室外送風機１７を構成するファン１７ａが配設される。  
前記機械室３は、底部を構成する底板７上に２台の圧縮機２０，２１およびアキュームレータが配置され、これらを接続する冷媒配管や均油バランス管からなる配管類および、図示しない室内ユニットの冷媒配管に接続するための配管接続弁（パックドバルブ）等からなる配管接続部材２３および、後述する電気部品箱２５等が収容される。
【００１８】
つぎに、前記電気部品箱２５につき、図２ないし図４にもとづいて詳述する。  
図２は、上述したように室外ユニットＳの筐体１を構成する側面パネル５を取外して内部を示す斜視図であるが、電気部品箱２５内部については簡略して示している。図３は、側面パネル５を取外した状態の電気部品箱２５付近の斜視図。図４は、電気部品箱２５部分の側面図である。
【００１９】
前記電気部品箱２５は、前面が開口し、上下左右各面板ａ〜ｄと、背面板eからなる箱体であり、前面開口部は図示しない前面板によって閉塞される。すなわち、各図に示すように筐体１を構成する側面パネル５および前面開口部を閉塞する前面板を取外すことで、電気部品箱２５内部が露出する。
【００２０】
特に図２および図３に示すように、電気部品箱２５の左面板ｃは筐体１の左側部１ｃにほとんど密着しているが、電気部品箱２５の右面板ｄは筐体１の右側部１ｄとは間隙を存して配置される。この電気部品箱２５右面板ｄと筐体１の右側部１ｄとの間隙に、前記配管接続部材２３が配置されるとともに、後述する電線カバー部材Ｋが配置される。
【００２１】
電気部品箱２５の下面板ｂ（底部）は筐体１構成する前記底板７上に載り、電気部品箱２５の上面板ａは前記水平区分板４にほとんど接するよう構成される。特に図４に示すように、電気部品箱２５の前端部から背面板ｅまでの寸法（奥行き寸法）は、筐体１の同方向の寸法と比較して極くわずかである。
【００２２】
以上のような電気部品箱２５の外形形状寸法であって、この内部に、たとえば圧縮機２０，２１の回転数を制御するインバータ装置２６や、制御器等の多数の電気部品および、図示しないセンサー類や表示器への電気信号を送受信して制御する電子部品を実装する制御基板２７を収容している。
【００２３】
前記インバータ装置２６には、ここからの熱を放熱するヒートシンクが取付けられ、電気部品箱２５の背面板ｅから突出している。このヒートシンクを覆うようにして、電気部品箱２５の背面板ｅにダクト本体２９が取付けられている。  
前記底板７には外気を取り入れるためのダクト吸気口が設けられていて、前記ダクト本体２９に接続される。一方、前記水平区分板４には、ダクト排気口が開口されている。このダクト排気口の周部に沿って上方に突出する凸部が設けられ、水平区分板４に溜まるドレン水の侵入を防止している。
【００２４】
前記水平区分板４におけるダクト排気口は、ダクト本体２９の上端開口部に接続されていて、これらで冷却ダクトＲが構成される。すなわち、冷却ダクトＲの下端開口部が底板７のダクト吸気口に接続され、上端開口部が水平区分板４のダクト排気口に接続されて、冷却ダクトＲを介して底板７外部と熱交換室２が連通する。
【００２５】
特に図２および図４に示すように、電気部品箱２５の右側板に２個の切欠部３１，３２が、互いに上下に離間した位置に設けられる。上部側である第１の切欠部３１は、右側板の側端縁から略コ字状に切欠加工され、下部側である第２の切欠部３２は略半円状に切欠加工される。第１の切欠部３１の開口面積は、第２の切欠部３２よりも大に形成される。
【００２６】
一方、前記電気部品箱２５内部で右面板ｄ近傍の、前記第１の切欠部３１よりもわずか上方部位に、前記電気部品に配電するための第１の端子板３３が取付けられる。この第１の端子板３３の下方部位で、前記第２の切欠部３２よりもわずか上方部位に、前記電子部品に配電するための第２の端子板３４が取付けられる。  
そして、これら第１の切欠部３１と第２の切欠部３２を覆うように、電気部品箱２５の右面板ｄの外面側に前記電線カバー部材Ｋが取付けられる。
【００２７】
つぎに、電線カバー部材Ｋについて説明する。  
図２および図３にも電線カバー部材Ｋを示しているが、図５は電線カバー部材Ｋ単独のの正面図として示し、図６は電線カバー部材Ｋを電気部品箱２５に取付けた状態での、電気部品箱２５および、その周辺部の平面図である。
【００２８】
電線カバー部材Ｋは、金属製の板材を折り曲げ加工したものであり、正面視で前面と、左側面が開口している。斜めに傾斜する面と垂直な面との連設面である右側部板ｇと、下部板ｈおよび背部板ｉとから構成される。特に、右側部板ｇは、その上端部が左側面上端と一致していて、ここから比較的急な傾斜で形成され、所定部位で垂直面に折曲される。
【００２９】
さらに、背部板ｉにおける右側部板ｇに沿う部分は、特に図６に示すように内側に傾斜する傾斜部ｊとなっていて、この近傍に配置される配管接続部材２３のうちの、たとえばパックドバルブＰＢとの接触を避けている。
【００３０】
このような電線カバー部材Ｋの外形形状寸法であって、特に図２および図５に示すように、内部は仕切り板３５によって区分される。すなわち、仕切り板３５の前端は電線カバー部材Ｋの前端開口部と同一位置で、後端は背部板ｉに接続する。  
仕切り板３５の上端は左側部開口の、かつ右側部板ｇの上端よりも間隙を存した下方部位にあり、ここから斜め下方に傾斜する。仕切り板３５の傾斜角度は右側部板ｇの傾斜角度より急角度に形成される。
【００３１】
仕切り板３５の傾斜下端部は電線カバー部材Ｋを構成する下部板ｈとは間隙を存した部位であり、さらに下部板ｈと平行に折曲され、右側部板ｇの垂直面まで延出されて接続される。したがって、仕切り板３５は電線カバー部材Ｋの内部を上部室３６Ａと下部室３６Ｂとに仕切る。
【００３２】
特に図２および図３に示すように、電気部品箱２５の右面板ｄに取付けられる電線カバー部材Ｋは、その取付け位置が選択されている。すなわち、電線カバー部材Ｋの上部室３６Ａにおける左側部開口を電気部品箱２５の第１の切欠部３１に対向し、下部室３６Ｂにおける左側部開口を第２の切欠部３２に対向しなければならない。
【００３３】
特に図１に示すように、筐体１を構成する側面パネル５のうち、所定の側面パネル５は下端隅部が矩形状に開口５Ａされていて、この開口部５Ａに対して配線用板３８が対向するよう立設されている。  
配線用板３８は図２および図３にも示していて、上下に離間して２個の孔部４０，４１が設けられる。上部側の孔部は電源線用孔４０であり、下部側の孔部は通信線用孔４１であって、電源線用孔４０は通信線用孔４１よりも直径が大に形成される。
【００３４】
前記配線用板３８の裏面側に電線カバー部材Ｋの下端部が対向している。なお説明すると、上述したように電線カバー部材Ｋの仕切り板３５で仕切られる上部室３６Ａの下端部が電源線用孔４０に対向し、下部室３６Ｂの下端部が通信線用孔４１に対向する。
【００３５】
電源線用孔４０および通信線用孔４１には、筐体１の外部から電源線用コンジット管５０および通信線用コンジット管５１の端部が固定され、コンジット管５０、５１の管内と筐体１の内部とが連通する。このコンジット管５０、５１の管内に電源線Ｔａおよび通信線Ｔｂが挿通される。
【００３６】
このような配置構成のうえで、電源線Ｔａおよび通信線Ｔｂが、電源線用コンジット管５０および通信線用コンジット管５１内を挿通する。そして、電源線Ｔａの先端は配線用板３８に設けられる電源線用孔４０に挿通され、通信線Ｔｂの先端は通信線用孔４１に挿通される。
【００３７】
電源線Ｔａは電源線用孔４０と対向する位置にある、電線カバー部材Ｋの上部室３６Ａに挿入される。通信線Ｔｂは通信線用孔４１と対向する位置にある、電線カバー部材Ｋの下部室３６Ｂに挿入される。
【００３８】
電源線Ｔａと通信線Ｔｂは、上部室３６Ａと下部室３６Ｂのそれぞれの下端から上端に向かって、傾斜に沿って延出される。そして、電源線Ｔａは上部室３６Ａを出て電気部品箱２５に設けられる第１の切欠部３１を挿通し、この先端は被覆を取除かれたうえで、電気部品箱２５内部に設けられる第１の端子板３３に接続される。
【００３９】
前記通信線Ｔｂは、下部室３６Ｂを出て電気部品箱２５に設けられる第２の切欠部３２を挿通し、この先端は被覆を取除かれたうえで、電気部品箱２５内部に設けられる第２の端子板３４に接続される。  
上述したように、第１の端子板３３は電気部品に配電するために取付けられ、第２の端子板３４は電子部品に配電するために取付けられるので、電源線Ｔａは電気部品と電気的に接続され、通信線Ｔｂは電子部品と電気的に接続されることになる。
【００４０】
電線カバー部材Ｋにおいて、この上部室３６Ａに電源線Ｔａが収容され、下部室に通信線Ｔｂが収容される。電源線Ｔａと通信線Ｔｂとの間には仕切り板３５が介在しているので、筐体１内から電気部品箱２５との間に介在する電線カバー部材Ｋによって、電源線Ｔａと通信線Ｔｂは互いに隔離状態にあり、接触することはない。
【００４１】
このようにして構成される空気調和機の室外ユニットであり、運転指令信号が入ると圧縮機２０，２１の少なくともいずれか一方が駆動されて室外熱交換器１２や気液分離器等および室内ユニット内の室内熱交換器に冷媒が導かれ、冷凍サイクル運転がなされる。  
同時に、室外送風機１７が駆動され、外気を熱交換室２内に吸込む。外気は室外熱交換器１２を流通する際に熱交換し、さらに室外送風機１７を介して外部へ排気される。室外送風機１７の送風作用により熱交換室２が負圧になるが、その影響が熱交換室２と連通する冷却ダクトＲに及び、この内部も負圧化する。
【００４２】
したがって、底板７外の外気がダクト吸気口から吸込まれ、冷却ダクトＲを流通してダクト排気口から熱交換室２へ導出される。外気は冷却ダクトＲ内を流通する途中でヒートシンクに接触し、ヒートシンクに伝わった熱は冷却ダクトＲ内を流通する外気に放熱され、インバータ装置２６は冷却される。
【００４３】
一方、筐体１内部に電線カバー部材Ｋを配置し、この内部を仕切り板３５で仕切り、上部室３６Ａに電源線Ｔａを挿通し、下部室３６Ｂに通信線Ｔｂを挿通した。上部室３６Ａの形状構造から、特に線径の太い電源線Ｔａを、電源線用孔４０から第１の端子板３３までほとんど直状に引き回せることとなり、曲げなどのストレスがかかることはない。
【００４４】
電源線Ｔａと通信線Ｔｂを互いに隔離した状態で電線カバー部材Ｋ内に収容した。電線カバー部材Ｋは金属製の板材からなるので、外部の衝撃から電源線Ｔａと通信線Ｔｂを確実に保護する。そして、電源線Ｔａから発生するノイズから通信線Ｔｂを保護し、信号の混乱発生による機器の誤作動を確実に防止する。
【００４５】
先に説明した［特許文献１］の構成では、電気部品箱の左側面に設けた切欠部が筐体内部に露出した状態になっている。したがって、強風雨にともなって側面パネルに設けられる吸込口１３から雨水が筐体内部に浸入した場合、その一部が切欠き部から電気部品箱内部へも浸入する虞れがある。
【００４６】
この状態を避けるため、切欠き部と、ここに挿通する電気配線との隙間に断熱材を充填し、雨水の浸入を防止する。そのため、水漏れによる漏電事故の発生はないが、製作時の手間がかかりコストに影響を与えている。これに対して本実施の形態では、各切欠部３１，３２を電線カバー部材Ｋで覆っているから、雨水の浸入がなく、工数低減を図れる。
【００４７】
以上、本実施形態を説明したが、上述の実施形態は、例として提示したものであり、実施形態の範囲を限定することは意図していない。この新規な実施形態は、その他の様々な形態で実施されることが可能であり、要旨を逸脱しない範囲で、種々の省略、置換え、変更を行うことができる。これら実施形態やその変形は、発明の範囲や要旨に含まれるとともに、特許請求の範囲に記載された発明とその均等の範囲に含まれる。
【符号の説明】
【００４８】
４０…電源線用孔、１…筐体、４１…通信線用孔、Ｔａ…電源線、Ｔｂ…通信線、２５…電気部品箱、Ｋ…電線カバー部材、３５…仕切り板。
【図１】
0005674510.tif 000002
【図２】
0005674510.tif 000003
【図３】
0005674510.tif 000004
【図４】
0005674510.tif 000005
【図５】
0005674510.tif 000006
【図６】
0005674510.tif 000007